(57)【要約】【課題】障害が事業者の責任分界点内で生じたのか否かを容易に判別することができる回線接続装置及び通信システムを提供する。【解決手段】回線接続装置１ａは、ユーザＬＡＮＮ１から送信されてきたフレーム形式のデータの所定の部分を用いて演算を行いＣＲＣ値を求め、このＣＲＣ値をデータの末尾に付加して専用線Ｎに送信する。回線接続装置１ｂは、専用線Ｎを介して送信されてきたデータの所定の部分を用いて演算を行い、得られた値と送信されてきたデータの末尾に付加されているＣＲＣ値とを比較する。【選択図】　図１
2004120190.tif 000002
【特許請求の範囲】
【請求項１】
ネットワークと専用線とを接続する回線接続装置において、
前記ネットワークからのデータの内の所定のデータに対して、予め定められた生成多項式を用いて演算を行うネットワークデータ演算部と、
前記ネットワークデータ演算部の演算結果を誤り検出用データとして前記データの末尾に付加したデータを前記専用線に送出する送出部と
を備えることを特徴とする回線接続装置。
【請求項２】
ネットワークと専用線とを接続する回線接続装置において、
前記専用線を介して送信されてくるデータの内の所定のデータに対して、予め定められた生成多項式を用いて演算を行う専用線データ演算部と、
前記専用線データ演算部の演算結果と前記専用線を介して送信されてくるデータの末尾に付加されている誤り検出用データとを比較する比較部と
を備えることを特徴とする回線接続装置。
【請求項３】
前記専用線を介して送信されてくるデータの末尾に付加されている誤り検出用データを削除する誤り検出用データ削除部と、
前記誤り検出用データを削除したデータを前記ネットワークに出力する出力部と
を備えることを特徴とする請求項２記載の回線接続装置。
【請求項４】
前記専用線は、光伝送路であることを特徴とする請求項１から請求項３の何れか一項に記載の回線接続装置。
【請求項５】
専用線と第１ネットワークとを接続する第１回線接続装置と、前記専用線と前記第１ネットワークとは異なる第２ネットワークとを接続する第２回線接続装置とを備え、前記専用線を介して前記第１ネットワークと前記第２ネットワークとが接続されてなる通信システムにおいて、
前記第１回線接続装置は、前記第１ネットワークからのデータの内の所定のデータに対して、予め定められた生成多項式を用いて演算を行うネットワークデータ演算部と、
前記ネットワークデータ演算部の演算結果を誤り検出用データとして前記データの末尾に付加したデータを前記専用線に送出する送出部とを備え、
前記第２回線接続装置は、前記専用線を介して送信されてくるデータの内の所定のデータに対して、予め定められた前記生成多項式を用いて演算を行う専用線データ演算部と、
前記専用線データ演算部の演算結果と前記専用線を介して送信されてくるデータの末尾に付加されている誤り検出用データとを比較する比較部と
を備える
ことを特徴とする通信システム。
【請求項６】
前記第２回線接続装置は、前記専用線を介して送信されてくるデータの末尾に付加されている誤り検出用データを削除する誤り検出用データ削除部と、
前記誤り検出用データを削除したデータを前記第２ネットワークに出力する出力部と
を備えることを特徴とする請求項５記載の通信システム。
【発明の詳細な説明】
【０００１】
【発明の属する技術分野】
本発明は、ＬＡＮ（Ｌｏｃａｌ　Ａｒｅａ　Ｎｅｔｗｏｒｋ）等のネットワークと専用線とを接続する回線接続装置及びユーザ側に設けられたＬＡＮと事業者側に設けられたＬＡＮとを回線接続装置を用いて専用線にて接続した通信システムに関する。
【０００２】
【従来の技術】
近年、通信事業者（以下、事業者という）側に設けられたネットワーク（以下、広域網という）と企業の各部署等に設けられたＬＡＮ（以下、ユーザＬＡＮという）との間を光ファイバを用いた専用線で接続することで、事業者を介して企業の各部署に設けられたユーザＬＡＮ同士を相互に接続した通信システムが多用されている。
【０００３】
この通信システムでは、ユーザＬＡＮと専用線とを接続するため、及び、専用線と広域網とを接続するためのインタフェースとして、いわゆるメディアコンバータといわれる回線接続装置が用いられる。この回線接続装置は、電気ケーブルを用いて構成されたユーザＬＡＮ又は広域網と光ファイバを用いて構成された専用線とを接続し、電気信号を光信号に変換してユーザＬＡＮからのデータを専用線に送信し、光信号を電気信号に変換して専用線からのデータをユーザＬＡＮに送信する。尚、メディアコンバータの使用例については、例えば「日経コミュニケーション」２００２．２．１８　ｐ１３４を参照されたい。
【０００４】
【発明が解決しようとする課題】
ところで、上述した通り回線接続装置は専用線の両端を終端するように設けられており、一方はユーザＬＡＮが敷設された場所（企業の部署がある場所）に設置され、他方は広域網が敷設された場所（事業者の局舎内）に設置される。かかる構成の通信システムにおいては、責任分界点がユーザＬＡＮ側に設置された回線接続装置に設定されているため、事業者は広域網、広域網側に設けられた回線接続装置、専用線、及びユーザＬＡＮ側に設けられた回線接続装置の保守運用を行う必要がある。
【０００５】
専用線で生ずる障害を検出するために、広域網側に設けられた回線接続装置は専用線を介して送信されてくるパケットを常時監視している。そして、広域網側に設けられた回線接続装置において、巡回誤り検査（ＣＲＣ：Ｃｙｃｌｉｃ　ＲｅｄｕｎｄａｎｃｙＣｈｅｃｋ）の異常が検出されたときには、事業者が専用線を予備の回線に切り替えたり、障害の発生原因の調査を行っている。
【０００６】
しかしながら、回線接続装置の種類によっては、単に電気信号と光信号とのメディア変換をするだけの回線接続装置もある。このような回線接続装置をユーザＬＡＮ側に設けられた回線接続装置として用いた場合には、広域網側に設置された回線接続装置において、専用線を介して送信されてきたパケットのＣＲＣが格納されたフィールドの内容からはＣＲＣの異常の原因がユーザＬＡＮ内にあるのか、又は、専用線にあるのかを判別することができず、事業者が保守を行う上で極めて不便であるという問題があった。
【０００７】
本発明は上記事情に鑑みてなされたものであり、障害が事業者の責任分界点内で生じたのか否かを容易に判別することができる回線接続装置及び通信システムを提供することを目的とする。
【０００８】
【課題を解決するための手段】
上記課題を解決するために、本発明の第１の観点による回線接続装置は、ネットワーク（Ｎ１）と専用線（Ｎ）とを接続する回線接続装置（１ａ）において、前記ネットワークからのデータの内の所定のデータに対して、予め定められた生成多項式を用いて演算を行うネットワークデータ演算部（１２）と、前記ネットワークデータ演算部の演算結果を誤り検出用データとして前記データの末尾に付加したデータを前記専用線に送出する送出部（１３）とを備えることを特徴としている。
また、本発明の第２の観点による回線接続装置は、ネットワーク（Ｎ２）と専用線（Ｎ）とを接続する回線接続装置（１ｂ）において、前記専用線を介して送信されてくるデータの内の所定のデータに対して、予め定められた生成多項式を用いて演算を行う専用線データ演算部（２２）と、前記専用線データ演算部の演算結果と前記専用線を介して送信されてくるデータの末尾に付加されている誤り検出用データとを比較する比較部（２３）とを備えることを特徴としている。
ここで、本発明の第２の観点による回線接続装置は、前記専用線を介して送信されてくるデータの末尾に付加されている誤り検出用データを削除する誤り検出用データ削除部（２４）と、前記誤り検出用データを削除したデータを前記ネットワークに出力する出力部（２５）とを備えることが好ましい。
更に、本発明の第１の観点又は第２の観点による回線接続装置は、前記専用線が、光伝送路であることが好適である。
上記課題を解決するために、本発明の通信システムは、専用線（Ｎ）と第１ネットワーク（Ｎ１）とを接続する第１回線接続装置（１ａ）と、前記専用線と前記第１ネットワークとは異なる第２ネットワーク（Ｎ２）とを接続する第２回線接続装置（１ｂ）とを備え、前記専用線を介して前記第１ネットワークと前記第２ネットワークとが接続されてなる通信システムにおいて、前記第１回線接続装置は、前記第１ネットワークからのデータの内の所定のデータに対して、予め定められた生成多項式を用いて演算を行うネットワークデータ演算部（１２）と、前記ネットワークデータ演算部の演算結果を誤り検出用データとして前記データの末尾に付加したデータを前記専用線に送出する送出部（１３）とを備え、前記第２回線接続装置は、前記専用線を介して送信されてくるデータの内の所定のデータに対して、予め定められた前記生成多項式を用いて演算を行う専用線データ演算部（２２）と、前記専用線データ演算部の演算結果と前記専用線を介して送信されてくるデータの末尾に付加されている誤り検出用データとを比較する比較部（２３）とを備えることを特徴としている。
ここで、前記第２回線接続装置は、前記専用線を介して送信されてくるデータの末尾に付加されている誤り検出用データを削除する誤り検出用データ削除部（２４）と、前記誤り検出用データを削除したデータを前記第２ネットワークに出力する出力部（２５）とを備えることが好適である。
本発明によれば、第１回線接続装置においては、受信したデータの内の所定のデータに対して、予め定められた生成多項式を用いて演算を行って誤り検出用データを求め、この誤り検出用データをデータの末尾に付加して専用線に送出し、第２回線接続装置においては、専用線を介して送信されてきたデータの内の所定のデータに対して、予め定められた生成多項式を用いて演算を行い、この演算結果とデータの末尾に付加された誤り検出用データとを比較しているため、事業者の責任分界点内にある第１回線接続装置、専用線、及び第２回線接続装置で障害が生じたのか否かを容易に判別することができる。
【０００９】
【発明の実施の形態】
以下、図面を参照して本発明の一実施形態による回線接続装置及び通信システムについて詳細に説明する。図１は、本発明の一実施形態による通信システムの構成を示すブロック図である。図１において、Ｎは、例えば１００Ｍｂｐｓ（ｂｉｔ　ｐｅｒ　ｓｅｃｏｎｄ）程度の伝送速度を有する専用線である。この専用線Ｎは、２本の光ファイバを用いた光伝送路である。
【００１０】
専用線Ｎの両端には、本発明の一実施形態による回線接続装置１ａ，１ｂがそれぞれ接続されて専用線Ｎを終端している。回線接続装置１ａにはユーザＬＡＮＮ１が接続されており、回線接続装置１ｂには広域網Ｎ２が接続されている。ユーザＬＡＮＮ１は、例えば企業の１つの部署に敷設され、１００Ｍｂｐｓ程度の伝送速度を有するネットワークであり、図示しない複数のコンピュータが接続されているものとする。
【００１１】
広域網Ｎ２は、その一部が例えば事業者の局舎内に敷設されたネットワークである。尚、上記の回線接続装置１ａとユーザＬＡＮＮ１とは不図示のルータを介して接続され、回線接続装置１ｂと広域網Ｎ２とは不図示のスイッチ及びルータを介して接続されている。本実施形態の回線接続装置１ａ，１ｂは、１００ＢＡＳＥ−ＴＸと１００ＢＡＳＥ−ＦＸとを相互に変換している。
【００１２】
ここで、本実施形態の回線接続装置で取り扱われるデータのデータ形式について説明する。図２は、本実施形態の回線接続装置で取り扱われるデータのデータ形式を示す図である。図２に示すように、本実施形態ではデータが基本的にＩＥＥＥ８０２．３で規定されるフレーム形式で取り扱われる。
【００１３】
各フレームは、７オクテットからなるプリアンブルを格納するフィールドＦ１、１オクテットからなるＳＦＤ（Ｓｔａｒｔ　Ｆｒａｍｅ　Ｄｅｌｉｍｉｔｅｒ）を格納するフィールドＦ２、６オクテットからなる送信先アドレスを格納するフィールドＦ３、６オクテットからなる送信元アドレスを格納するフィールドＦ４、２オクテットからなる長さ／タイプを格納するフィールドＦ５、長さが可変の実際のデータを格納するフィールドＦ６、４オクテットからなるＦＣＳ（Ｆｒａｍｅ　Ｃｈｅｃｋ　Ｓｅａｑｕｅｎｃｅ）を格納するフィールドＦ７、及び４オクテットかならなるＲＥＦＣＳ（誤り検出用データ）を格納するフィールドＦ８を有する。
【００１４】
ＩＥＥＥ８０２．３で規定されるフレーム形式は、図２に示すフレームＦ１〜Ｆ７からなるが、本実施形態ではこのフレームの末尾にＲＥＦＣＳ（誤り検出用データ）を格納するフィールドＦ８を付加している。上記ＦＣＳを格納するフィールドＦ７は、フィールドＦ３〜Ｆ６に格納された送信先アドレス、送信元アドレス、長さ／タイプ、及びデータから所定の生成多項式を用いて得られたＣＲＣ値が格納される。このＣＲＣ値はフレームが生成される時点において、データ送信元となる機器によって求められてフィールドＦ７に格納される。
【００１５】
これに対し、ＲＥＦＣＳは、ユーザＬＡＮＮ１から送信されてきたフレームを回線接続装置１ａが受信したときに、回線接続装置１ａが受信したフレームのフィールドＦ３〜Ｆ７に格納された送信先アドレス、送信元アドレス、長さ／タイプ、データ、及びＦＣＳから所定の生成多項式を用いてＣＲＣ値を求め、受信したフレームの末尾に求めたＣＲＣ値を格納したフィールドＦ８を付加している。
【００１６】
これによって、回線接続装置１ｂが専用線Ｎを介して送信されてきたフレームのフィールドＦ３〜Ｆ７に格納された値から所定の生成多項式を用いて求めたＣＲＣ値と、末尾に付加されたフレームＦ８に格納されているＲＥＦＣＳとを比較し、その値が不一致であるときには障害が専用線Ｎで生じたことを判定することができる。
【００１７】
次に、本発明の一実施形態による回線接続装置１ａ，１ｂの内部構成について説明する。尚、本実施形態の回線接続装置１ａ，１ｂは、専用線Ｎを介して回線接続装置１ａと回線接続装置１ｂとの間で双方向にデータの送受信が可能であるが、以下の説明においては主として専用線Ｎを介した回線接続装置１ａから回線接続装置１ｂへのデータ送信を行うための構成及び動作について説明する。
【００１８】
図３は、本発明の一実施形態による回線接続装置１ａ，１ｂの内部構成を示すブロック図である。図３に示すように、回線接続装置１ａは、ユーザＬＡＮ側物理層デバイス１１、ＣＲＣ演算部１２、及び伝送路側物理層デバイス１３を含んで構成される。
【００１９】
ユーザＬＡＮ側物理層デバイス１１は、ユーザＬＡＮＮ１から送信されてきたフレーム形式のデータの波形整形等を行う。ＣＲＣ演算部１２は、ユーザＬＡＮ側物理層デバイス１１を介したフレームのフィールドＦ３〜Ｆ７（図２参照）に格納された送信先アドレス、送信元アドレス、長さ／タイプ、データ、及びＦＣＳを、以下の（１）式に示す生成多項式で除算する。
【００２０】
2004120190.tif 000003
そして、その余りをフィールドＦ８のＲＥＦＣＳとしてフレームの末尾に付加したパケットを生成する。伝送路側物理層デバイス１３は、ＣＲＣ演算部１２で生成されたパケットを光信号に変換して専用線Ｎへ送出する。
【００２１】
一方、回線接続装置１ｂは、伝送路側物理層デバイス２１、ＣＲＣ演算部２２、ＣＲＣ比較部２３、削除部２４、及び広域網側物理層デバイス２５を含んで構成される。伝送路側物理層デバイス２１は、専用線Ｎを介して送信されてきたパケットを電気信号に変換するとともに、変換後のフレーム形式のデータの波形整形等を行う。
【００２２】
ＣＲＣ演算部２２は、伝送路側物理層デバイス２１を介したフレームのフィールドＦ３〜Ｆ７（図２参照）に格納された送信先アドレス、送信元アドレス、長さ／タイプ、データ、及びＦＣＳを、上記の（１）式に示す生成多項式で除算し、その余りを算出する。ＣＲＣ比較部２３は、伝送路側物理層デバイス２１を介したフレームのフィールドＦ８に格納されているＲＥＦＣＳと、ＣＲＣ演算部２２で求められた余りとを比較し、不一致である場合には警報を出力する。尚、ここでいう警報は、ビープ音等の聴覚にうったえるものでも、ランプ点灯等の視覚にうったえるものであってもよい。
【００２３】
削除部２４は、ＣＲＣ演算部２２を介したフレームから、末尾に付加されているフィールドＦ８を削除して、フレームを図２に示すフィールドＦ１〜Ｆ７からなるフレームとする。これにより、回線接続装置１ａから専用回線Ｎに送出された規格外のフレームが規格に沿った形式となるため、広域網Ｎ２に接続された不図示のスイッチ、ルータ等の機器の動作に影響を与えることなく専用線Ｎで生ずる障害を検出することが可能となる。広域網物理層デバイス２５は、削除部２４から出力されたフレームを広域網Ｎ２へ出力する。
【００２４】
上記構成において、ユーザＬＡＮＮ１に接続された不図示のコンピュータの１つから、例えば不図示の他の部署に敷設されたユーザＬＡＮに接続されたコンピュータへデータを送信する場合には、図２に示すフィールドＦ１〜Ｆ７からなるフレームが送信される。尚、このフレームのフィールドＦ７にはフィールドＦ３〜Ｆ６に格納された送信先アドレス、送信元アドレス、長さ／タイプ、及びデータから所定の生成多項式を用いて得られたＣＲＣ値が格納されている。
【００２５】
このフレームがユーザＬＡＮＮ１を介して回線接続装置１ａに送信されてくると、回線接続装置１ａのユーザＬＡＮ側物理層デバイス１１で受信され、波形整形等が行われる。ユーザＬＡＮ側物理層デバイス１１を介したフレームがＣＲＣ演算部１２に入力されると、フレームのフィールドＦ３〜Ｆ７に格納された送信先アドレス、送信元アドレス、長さ／タイプ、データ、及びＦＣＳを、上記の（１）式に示す生成多項式で除算し、その余りをフィールドＦ８のＲＥＦＣＳとしてフレームの末尾に付加したパケットが生成される。このパケットは、伝送路側物理層デバイス１３で光信号に変換されて専用線Ｎへ送出される。
【００２６】
回線接続装置１ａから専用線Ｎへ送出されたフレームが回線接続装置１ｂに入力されると、まず伝送路側物理層デバイス２１において、電気信号に変換された後で波形整形される。このフレームがＣＲＣ演算部２２に入力されると、フィールドＦ３〜Ｆ７に格納された送信先アドレス、送信元アドレス、長さ／タイプ、データ、及びＦＣＳを、上記の（１）式に示す生成多項式で除算し、その余りを算出する。この余りはＣＲＣ比較部２３へ出力され、伝送路側物理層デバイス２１を介したフレームのフィールドＦ８に格納されているＲＥＦＣＳとの比較が行われる。
【００２７】
この比較の結果、両者が不一致である場合には、ＣＲＣ比較部２３から警報が出力される。この警報によって事業者において保守を行っている者（保守者）が専用線Ｎにおいて障害が発生した事実を知り、予備回線への切り替え、又は、障害発生の原因調査を開始する。
【００２８】
ＣＲＣ演算部２２から出力されたフレームは削除部２４において、末尾に付加されているフィールドＦ８が削除される。これによって、フレームは、図２に示すフィールドＦ１〜Ｆ７からなるフレームになる。このフレームは広域網物理層デバイス２５を介して広域網Ｎ２へ出力される。
【００２９】
以上、本発明の一実施形態による回線接続装置及び通信システムについて説明したが、本発明は上記実施形態に制限されず、本発明の範囲で変更可能である。例えば、上記実施形態においては、回線接続装置１ａがフィールドＦ８を付加したフレームを生成し、回線接続装置１ｂがフィールドＦ８の内容を参照して専用線Ｎにおける障害の有無を判定するようにしていた。
【００３０】
しかしながら、回線接続装置１ａにおいても専用線Ｎにおける障害を判定する必要がある場合には、回線接続装置１ａのＣＲＣ演算部１２を回線接続装置１ｂに設けるとともに、回線接続装置１ｂに設けられたＣＲＣ演算部２２、ＣＲＣ比較部２３、及び削除部２４を回線接続装置１ａに設けた構成としてもよい。また、上記実施形態においては、専用線Ｎが光ファイバを用いた光伝送路である場合を例に挙げて説明したが、電気ケーブルを用いた電気伝送路であっても良い。
【００３１】
【発明の効果】
以上説明したように、本発明によれば、第１回線接続装置においては、受信したデータの内の所定のデータに対して、予め定められた生成多項式を用いて演算を行って誤り検出用データを求め、この誤り検出用データをデータの末尾に付加して専用線に送出し、第２回線接続装置においては、専用線を介して送信されてきたデータの内の所定のデータに対して、予め定められた生成多項式を用いて演算を行い、この演算結果とデータの末尾に付加された誤り検出用データとを比較しているため、事業者の責任分界点内にある第１回線接続装置、専用線、及び第２回線接続装置で障害が生じたのか否かを容易に判別することができるという効果がある。
【図面の簡単な説明】
【図１】本発明の一実施形態による通信システムの構成を示すブロック図である。
【図２】本実施形態の回線接続装置で取り扱われるデータのデータ形式を示す図である。
【図３】本発明の一実施形態による回線接続装置１ａ，１ｂの内部構成を示すブロック図である。
【符号の説明】
１ａ　　回線接続装置（第１回線接続装置）
１ｂ　　回線接続装置（第２回線接続装置）
１２　　ＣＲＣ演算部（ネットワークデータ演算部）
１３　　伝送路側物理層デバイス（送出部）
２２　　ＣＲＣ演算部（専用線データ演算部）
２３　　比較部
２４　　削除部（誤り検出用データ削除部）
２５　　広域網側物理層デバイス（出力部）
Ｎ　　　専用線
Ｎ１　　ユーザＬＡＮ（ネットワーク、第１ネットワーク）
Ｎ２　　広域網（ネットワーク、第２ネットワーク）
【図１】
2004120190.tif 000004
【図２】
2004120190.tif 000005
【図３】
2004120190.tif 000006